(57)【要約】      （修正有）【課題】収容物が他の洗濯物により押しつぶされることを防止できる収容物に対するサポートがより強化された洗濯ネットを提供する。【解決手段】洗濯ネット１００は、トップシート１１と、ボトムシート１２と、トップシートが有する第１の外周縁に接する円形のトップ周縁及びトップ周縁から所定の高さ距離Ｄを離れてボトムシートが有する第２の外周縁に接する円形のボトム周縁を有し、スリーブ状に形成されたスリーブ部１３とを有し、且つ、メッシュ素材により作成されたバッグユニット１を備え、バッグユニット内の空間に、第３の直径Ｄ１を有する円形の第３の外周縁を有するサポーター２が収容され、第３の直径は、トップシートの直径Ｄ２、ボトムシートの直径Ｄ３、高さ距離Ｄのいずれよりも長くなっている。【選択図】図１
0003227882.tif 000002
【実用新案登録請求の範囲】
【請求項１】
所定の第１の直径を有する円形の第１の外周縁を有するトップシートと、
所定の第２の直径を有する円形の第２の外周縁を有するボトムシートと、
前記トップシートが有する前記第１の外周縁に接する円形のトップ周縁及び前記トップ周縁から所定の高さ距離を離れて前記ボトムシートが有する前記第２の外周縁に接する円形のボトム周縁を有し、且つ、スリーブ状に形成されたスリーブ部とを有し、且つ、メッシュ素材により作成されたバッグユニットを備えた洗濯ネットであって、
前記トップシートと前記ボトムシートと前記スリーブ部とにより囲まれた収容空間内に、所定の第３の直径を有するように円形の第３の外周縁を有するサポーターが収容されており、
前記第３の直径は、前記第１の直径と前記第２の直径と前記高さ距離とのいずれよりも長くなっていることを特徴とする洗濯ネット。
【請求項２】
前記トップシートと前記スリーブ部は、前記第１の外周縁と前記トップ周縁との間に取り付けられている接続手段により互いに取り外し可能に接続されていることを特徴とする請求項１に記載の洗濯ネット。
【請求項３】
前記接続手段として、線ファスナーが用いられていることを特徴とする請求項２に記載の洗濯ネット。
【請求項４】
前記トップシートに可撓性材料により作成されたトップフレームが取り付けられ、
前記ボトムシートに可撓性材料により作成されたボトムフレームが取り付けられていることを特徴とする請求項１に記載の洗濯ネット。
【請求項５】
前記サポーターは、可撓性材料により作成されたサポーターフレームと、該サポーターフレームに取り付けられていると共に、前記第３の外周縁を有し、且つメッシュ素材により作成された仕切りネットと、を有するように構成されていることを特徴とする請求項１に記載の洗濯ネット。
【考案の詳細な説明】
【技術分野】
【０００１】
本考案は、洗濯ネットに関し、特に、洗濯する際に女性用下着を入れるために用いられる洗濯ネットに関する。
【背景技術】
【０００２】
一般的に、女性の下着は洗濯機で洗濯する際、シリンダーに直接に投入すると下着が引っ張られたり引っかかったりするので、とても傷みやすく、洗濯機で洗濯する際の傷みを避けるために女性用下着はほとんどが、手洗い或いは下着専用の洗濯ネットを用いて洗うことで下着を保護している。このような下着専用の洗濯ネット(ネット袋)として、例えば、特許文献１の背景技術に指摘されているものが挙げられる。この種の洗濯ネットを用いることで、上記のような、シリンダー内の水流による傷みを回避することができる一方、シリンダーに投入された他の洗濯物により押しつぶされることに起因する傷みに対処できる洗濯ネットに関しては、いまだに開発されていない。
【先行技術文献】
【特許文献】
【０００３】
【特許文献１】台湾実用新案登録第Ｍ３８８５２３２号明細書
【考案の概要】
【考案が解決しようとする課題】
【０００４】
本考案は、上記従来の洗濯ネットが持つ少なくとも一つの欠点を改善する洗濯ネットを提供することを課題とする。具体的には、本考案は収容物に対するサポートがより強化された洗濯ネットを提供することを課題とする。
【課題を解決するための手段】
【０００５】
本考案の洗濯ネットは、所定の第１の直径を有する円形の第１の外周縁を有するトップシートと、所定の第２の直径を有する円形の第２の外周縁を有するボトムシートと、前記トップシートが有する前記第１の外周縁に接する円形のトップ周縁及び前記トップ周縁から所定の高さ距離を離れて前記ボトムシートが有する前記第２の外周縁に接する円形のボトム周縁を有し、且つ、スリーブ状に形成されたスリーブ部とを有し、且つ、メッシュ素材により作成されたバッグユニットを備えた洗濯ネットであって、前記トップシートと前記ボトムシートと前記スリーブ部とにより囲まれた収容空間内に、所定の第３の直径を有するように円形の第３の外周縁を有するサポーターが収容されており、
前記第３の直径は、前記第１の直径と前記第２の直径と前記高さ距離とのいずれよりも長くなっている。
【考案の効果】
【０００６】
上記のように、本考案の洗濯ネットは、サポーターの外周縁が所定の第３の直径を有し、そして該第３の直径は、トップシートの第１の外周縁の第１の直径とボトムシートの第２の外周縁の第２の直径と、スリーブ部のトップ周縁からボトム周縁までの距離である高さ距離と、のいずれよりも長くなっているので、このような第３の直径を有するサポーターをバッグユニット内に配置することにより、バッグユニットを支持しながらバッグユニットの収容空間の容積を保つことができるので、収容空間内に収容される女性用下着、特にブラのカップがシリンダーに投入された他の洗濯物によって押しつぶされることが生じなくなり、これに起因する衣類の傷みを回避することができる。
【図面の簡単な説明】
【０００７】
【図１】本考案の洗濯ネットの実施形態を示す立体図である。
【図２】同実施形態を示す斜視図である。
【図３】同実施形態を示す斜視図である。
【図４】同実施形態を示す側面図である。
【図５】実施形態を示す斜視図である。
【図６】同実施形態を示す平面図である。
【考案を実施するための形態】
【０００８】
本考案を詳細に説明する前に、以下の説明において、同様の部品は同様の番号で表示することを理解されたい。
【０００９】
図１から図６に本考案の洗濯ネットの実施形態が示されている。
【００１０】
図１は本考案の洗濯ネットの実施形態を示す斜視図であり、図示のように、本考案の洗濯ネット１００は、女性用下着を入れて、洗濯機で洗濯するのに適している。この洗濯ネット１００は、バッグユニット１及びサポーター２を含んでいる。
【００１１】
本実施形態において挙げられている例としての洗濯ネット１００では、収容物として女性用下着２００が用いられているが、本考案の洗濯ネットとしてはこれに制限されず、ほかの種類の衣類も入れることができることを理解されたい。
【００１２】
図１では、サポーター２がバッグユニット１内に垂直に設置される様子が示されている。
【００１３】
バッグユニット１は、所定の第１の直径Ｄ２を有する円形の第１の外周縁１１０を有するトップシート１１と、所定の第２の直径Ｄ３を有する円形の第２の外周縁１２０を有するボトムシート１２と、トップシート１１が有する第１の外周縁１１０に接する円形のトップ周縁１３１及びトップ周縁１３１から所定の高さ距離Ｄを離れてボトムシート１２が有する第２の外周縁１２０に接する円形のボトム周縁１３２を有し、且つ、スリーブ状に形成されたスリーブ部１３とを有し、且つ、メッシュ素材により作成されていて、トップシート１１とボトムシート１２とスリーブ部１３とにより囲まれた収容空間１４内に、所定の第３の直径Ｄ１を有するように円形の第３の外周縁２０を有するサポーター２が収容されている。
【００１４】
本実施形態において、バッグユニット１は、トップシート１１とスリーブ部１３の間に接続手段１５が設けられている。本実施形態において接続手段１５は線ファスナーであり、トップシート１１とスリーブ部１３は、一部分だけが直接繋がっている他は、第１の外周縁１１０とトップ周縁１３１との間に取り付けられている線ファスナーにより互いに取り外し可能に接続されている。線ファスナー１５を開けると、例えば図２に示すようにトップシート１１はスリーブ部１３と上記一部分を残して離れ、オープン状になり、下着等の衣類を便利に、洗濯ネット１００内に入れることができる。なお、接続手段１５として本実施形態では線ファスナーが用いられているが、他の種類のファスナーでもよい。
【００１５】
図６に同実施形態のサポーター２がバッグユニット１から取り出された状態での洗濯ネット１００の構成が示されている。図示のように、バッグユニット１は、トップシート１１に可撓性材料（例えば、プラスチック材料やゴム材料など）により作成されたトップフレーム１１１が取り付けられ、ボトムシート１２に可撓性材料により作成されたボトムフレーム１２１が取り付けられており、バッグユニット１内の女性用下着２００が直接受けるダメージを避けることができる。
【００１６】
サポーター２は、メッシュ素材（図中ではメッシュの穴を省略）により円形状に作成されており、且つ収容空間１４内に設置されている。サポーター２の第３の直径Ｄ１は、第１の直径Ｄ２と第２の直径Ｄ３と高さ距離Ｄとのいずれよりも長くなっている。
【００１７】
ここで注意すべきなのは、洗濯ネット１００のバッグユニット１及びサポーター２は、いずれもメッシュ素材で作成されたものであり且つフレームも可撓性材料により作成されたものであるため、トップシート１１の周縁である第１の外周縁１１０や、ボトムシート１２の周縁である第２の外周縁１２０、そしてサポーター２の周縁である第３の外周縁２０も、常に決まった直径を有する円形であり続けるわけではなく、スリーブ部１３のトップ周縁１３１からボトム周縁１３２までの距離である高さ距離Ｄも常に同じ長さであるわけでもないが、ここでは、トップシート１１が外力を受けていない状態では、円形の第１の外周縁１１０を有するように作成され、そしてこの円形の第１の外周縁１１０の直径を第１の直径Ｄ２とし、サポーター２も外力を受けていない状態では、円形の第３の外周縁２０を有するように作成され、そしてこの円形の第３の外周縁２０の直径を第３の直径Ｄ１とし、サポーター２のサイズと、トップシート１１のサイズの間には、第３の直径Ｄ１が第１の直径Ｄ２より長くなっている関係を指している。
【００１８】
無論、第２の直径Ｄ３に関しても、外力を受けていない状態においてのボトムシート１２の周縁である第２の外周縁１２０が有するものであり、高さ距離Ｄもスリーブ部１３が外力を受けていない状態においてのトップ周縁１３１からボトム周縁１３２までの距離である。
【００１９】
サポーター２は、可撓性材料により作成されたサポーターフレーム２１と、該サポーターフレーム２１に取り付けられていると共に、前記第３の外周縁２０を有し、且つメッシュ素材により作成された仕切りネット２２と、を有するように構成されている。サポーター２とバッグユニット１のトップシート１１及びボトムシート１２の構造は類似しており、これにより、サポーター２は、水を通すことができ、同時に、所定の構造の強度を有している。しかし、サポーター２は、メッシュ素材でなくてもよく、特に穴を有していない素材でもよい。更に、トップフレーム１１１と、ボトムフレーム１２１及びサポーターフレーム２１は、例えばアクリル等の高分子素材であり、この種の素材は、一定の弾性や硬さを有している。
【００２０】
図２は同実施形態を示す斜視図であり、図２では、サポーター２がバッグユニット１内に垂直に設置され、且つ、バッグユニット１のトップシート１１がオープン状になっている様子が示されている。
【００２１】
図２に示されるように、サポーター２はバッグユニット１の収容空間１４に垂直に設置することができ、この際、サポーター２で収容空間１４を図２中の左右二つに分けることができる。
【００２２】
更に、図３は同実施形態を示す斜視図であり、図３では、サポーター２がバッグユニット１内に水平に設置され、且つ、バッグユニット１のトップシート１１がオープン状になっている様子が示されている。
【００２３】
図３に示されるように、サポーター２はバッグユニット１の収容空間１４に水平に設置することも可能であり、この際、サポーター２で収容空間１４を図３中の上下二つに分けることができる。
【００２４】
更に、図４にはバッグユニット１内に斜めに設置されたサポーター２により女性用下着のカップを隔てる様子が示されており、図５にはバッグユニット１内におおよそ垂直に設置されたサポーター２により女性用下着のカップを隔てる様子が示されている。図４及び図５に示されるように、サポーター２は図４において、斜めに設置し、収容空間１４を二つに分け、女性用下着２００のカップ２０１を隔て、サポーター２は図５において、おおよそ垂直に設置し、収容空間１４を二つに分け、女性用下着２００のカップ２０１を隔て、これにより、女性用下着２００のカップ２０１が、洗濯ネット１００に保護され、洗濯機のシリンダー内の水流や、他の洗濯物の重量に起因する傷みを回避することができる。
【００２５】
更に、上記図中では、女性用下着２００一着のみを示しているが、複数の女性用下着２００を重ねて、１つの洗濯ネット１００にまとめて入れることもできる。更にサポーター２の直径Ｄ１は、トップシート１１の直径Ｄ２とボトムシート１２の直径Ｄ３及びトップシート１１とボトムシート１２の間の高さ距離Ｄより長いので、サポーター２は垂直又は水平に関わらず、バッグユニット１の収容空間１４に設置した際に、サポーター２は、バッグユニット１を外向きに広げて、バッグユニット１のサポート力を与え、バッグユニット１のダメージを防止することができ、バッグユニット１の収容空間１４の女性用下着２００の傷みを避けることができる。
【００２６】
また、サポーター２は、バッグユニット１の収容空間１４内に固定しておらず、使用者の需要により、設置方法を決めることができる。つまり、図２及び図３の設置方法以外に、使用者は他の方法や、他のあらゆる角度でサポーター２をバッグユニット１の収容空間１４内に設置することもできる。特に、使用者が、サポーター２を必要としない際、サポーター２をバッグユニット１の収容空間１４から取り出せ、使用方法にとても柔軟性があり、使いやすい。
【００２７】
上述のように、サポーター２をバッグユニット１の収容空間１４に設置した際に、バッグユニット１は外向きに広げられて、バッグユニット１にサポート力を与え、バッグユニット１のダメージを防止することができ、バッグユニット１の収容空間１４の女性用下着２００の傷みを避けることができる。更に、サポーター２は、バッグユニット１の収容空間１４を更に隔てることができ、女性用下着２００のカップ２０１を隔てることができ、更に、洗濯機が回転する際、洗濯ネット１００が得られる浮力により、洗濯ネット１００の中にある女性用下着２００のダメージを避けることができる。
【００２８】
以上、本考案の具体例を詳細に説明したが、例示に過ぎず、実用新案登録請求の範囲を限定するものではない。実用新案登録請求の範囲には、以上に例示した具体例を変形、変更したものが含まれる。
【符号の説明】
【００２９】
１００      洗濯ネット
１          バッグユニット
１１        トップシート
１１１      トップフレーム
１２        ボトムシート
１２１      ボトムフレーム
１３        スリーブ部
１４        収容空間
１５        接続手段
２          サポーター
２１        サポーターフレーム
Ｄ１        第３の直径
Ｄ２        第１の直径
Ｄ３        第２の直径
Ｄ          高さ距離
２００      女性用下着
２０１      女性用下着のカップ
１１０      第１の外周縁
１２０      第２の外周縁
２０        第３の外周縁
１３１      トップ周縁
１３２      ボトム周縁
２２        仕切りネット
【図１】
0003227882.tif 000003
【図２】
0003227882.tif 000004
【図３】
0003227882.tif 000005
【図４】
0003227882.tif 000006
【図５】
0003227882.tif 000007
【図６】
0003227882.tif 000008